(57)【要約】【課題】給気バルブが故障しても風量バランスを維持できるようにする。【解決手段】風量制御装置１１３に風量制御継続部１１３−４を設ける。風量制御継続部１１３−４は、給気バルブ１０８（１０８Ａ，１０８Ｂ）に故障が生じたか否かを判定し、故障が生じたと判定した場合、一般排気バルブ１１１を代替バルブとしたり、故障が生じていない給気バルブ１０８を代替バルブとしたりして、風量制御部１１３による風量制御（風量バランス制御）を継続させる。【選択図】  図１
2015052415.tif 000002
【特許請求の範囲】
【請求項１】
ヒュームフードが設置された室への給気の風量を調節する給気バルブと、前記室からの一般排気の風量を調節する一般排気バルブと、前記ヒュームフードからの局所排気の風量を調節する局所排気バルブとを備えたヒュームフードシステムに用いられる風量制御装置において、
前記ヒュームフードの前面に開閉可能に設けられたサッシの位置を検出するサッシ位置検出手段と、
このサッシ位置検出手段によって検出されたサッシの位置に応じ、前記サッシの開口面の風速を所定の速度に維持するような前記ヒュームフードからの局所排気の風量を演算する局所排気風量演算手段と、
この局所排気風量演算手段によって演算されたヒュームフードからの局所排気の風量に応じ、前記室への給気の風量と前記室からの一般排気の風量および前記ヒュームフードからの局所排気の風量とが一定の風量差でバランスするように、前記給気バルブからの給気の風量および前記一般排気バルブからの一般排気の風量を演算するバランス風量演算手段と、
前記局所排気風量演算手段によって演算された局所排気の風量、前記バランス風量演算手段によって演算された給気の風量および一般排気の風量が得られるように、前記局所排気バルブの風量、前記給気バルブの風量および前記一般排気バルブの風量を制御する風量制御手段と、
前記給気バルブに故障が生じたか否かを判定し、故障が生じたと判定した場合、予め定められたバルブを代替バルブとし、前記風量制御手段による風量制御を継続させる風量制御継続手段と
を備えることを特徴とする風量制御装置。
【請求項２】
請求項１に記載された風量制御装置において、
前記風量制御継続手段は、
前記一般排気バルブを前記代替バルブとして前記風量制御手段による風量制御を継続させる
ことを特徴とする風量制御装置。
【請求項３】
請求項１に記載された風量制御装置において、
前記ヒュームフードシステムは、
複数の前記給気バルブを備え、
前記風量制御継続手段は、
前記複数の給気バルブのうち故障が生じていない給気バルブを前記代替バルブとして、もしくは前記一般排気バルブを代替バルブとして、前記風量制御手段による風量制御を継続させる
ことを特徴とする風量制御装置。
【請求項４】
請求項１に記載された風量制御装置において、
前記ヒュームフードシステムは、
複数の前記給気バルブと、複数の前記局所排気バルブとを備え、
前記風量制御手段は、
前記複数の局所排気バルブをグループ分けした各グループと前記複数の給気バルブの各々との対応関係を示すテーブルに従い、前記ヒュームフードからの局所排気の風量制御を実行する局所排気バルブに応じて、その局所排気バルブが属するグループに対応する給気バルブの風量制御を行う機能を有する
ことを特徴とする風量制御装置。
【請求項５】
請求項１に記載された風量制御装置において、
前記ヒュームフードシステムは、
複数の前記給気バルブと、複数の前記局所排気バルブとを備え、
前記風量制御手段は、
前記ヒュームフードが設置されている室への給気の風量制御を担当する給気バルブを選択的に切り替える機能を有する
ことを特徴とする風量制御装置。
【請求項６】
請求項１〜５に記載された風量制御装置において、
前記風量制御継続手段は、
前記代替バルブを用いての風量制御を所定時間継続させた後停止する
ことを特徴とする風量制御装置。
【請求項７】
ヒュームフードが設置された室への給気の風量を調節する給気バルブと、前記室からの一般排気の風量を調節する一般排気バルブと、前記ヒュームフードからの局所排気の風量を調節する局所排気バルブとを備えたヒュームフードシステムに適用される風量制御方法において、
前記ヒュームフードの前面に開閉可能に設けられたサッシの位置を検出するサッシ位置検出ステップと、
このサッシ位置検出ステップによって検出されたサッシの位置に応じ、前記サッシの開口面の風速を所定の速度に維持するような前記ヒュームフードからの局所排気の風量を演算する局所排気風量演算ステップと、
この局所排気風量演算ステップによって演算されたヒュームフードからの局所排気の風量に応じ、前記室への給気の風量と前記室からの一般排気の風量および前記ヒュームフードからの局所排気の風量とが一定の風量差でバランスするように、前記給気バルブからの給気の風量および前記一般排気バルブからの一般排気の風量を演算するバランス風量演算ステップと、
前記局所排気風量演算ステップによって演算された局所排気の風量、前記バランス風量演算ステップによって演算された給気の風量および一般排気の風量が得られるように、前記局所排気バルブの風量、前記給気バルブの風量および前記一般排気バルブの風量を制御する風量制御ステップと、
前記給気バルブに故障が生じたか否かを判定し、故障が生じたと判定した場合、予め定められたバルブを代替バルブとし、前記風量制御ステップによる風量制御を継続させる風量制御継続ステップと
を備えることを特徴とする風量制御方法。
【請求項８】
請求項７に記載された風量制御方法において、
前記風量制御継続ステップは、
前記一般排気バルブを前記代替バルブとして前記風量制御ステップによる風量制御を継続させる
ことを特徴とする風量制御方法。
【請求項９】
請求項７に記載された風量制御方法において、
前記ヒュームフードシステムは、
複数の前記給気バルブを備え、
前記風量制御継続ステップは、
前記複数の給気バルブのうち故障が生じていない給気バルブを前記代替バルブとして、もしくは前記一般排気バルブを代替バルブとして、前記風量制御ステップによる風量制御を継続させる
ことを特徴とする風量制御方法。
【請求項１０】
請求項７に記載された風量制御方法において、
前記ヒュームフードシステムは、
複数の前記給気バルブと、複数の前記局所排気バルブとを備え、
前記風量制御ステップは、
前記複数の局所排気バルブをグループ分けした各グループと前記複数の給気バルブの各々との対応関係を示すテーブルに従い、前記ヒュームフードからの局所排気の風量制御を実行する局所排気バルブに応じて、その局所排気バルブが属するグループに対応する給気バルブの風量制御を行うステップを有する
ことを特徴とする風量制御方法。
【請求項１１】
請求項７に記載された風量制御方法において、
前記ヒュームフードシステムは、
複数の前記給気バルブと、複数の前記局所排気バルブとを備え、
前記風量制御ステップは、
前記ヒュームフードが設置されている室への給気の風量制御を担当する給気バルブを選択的に切り替えるステップを有する
ことを特徴とする風量制御方法。
【請求項１２】
請求項７〜１１に記載された風量制御方法において、
前記風量制御継続ステップは、
前記代替バルブを用いての風量制御を所定時間継続させた後停止する
ことを特徴とする風量制御方法。
【発明の詳細な説明】
【技術分野】
【０００１】
この発明は、ヒュームフードシステムに用いられる風量制御装置および方法に関するものである。
【背景技術】
【０００２】
従来より、化学実験では、実験作業過程において、人体に有害な生物化学物質が発生する場合が多い。これら生物化学物質の室内への拡散を防止し、人体への汚染を防ぐ装置の１つにヒュームフードがある。一般に、ヒュームフードは、上下または左右に開閉可能なサッシ付きの囲い（エンクロージャ）を備えており、実験室の作業者はこのサッシからエンクロージャ内にアクセスすることができる（例えば、特許文献１参照）。
【０００３】
ヒュームフードは、作業中の作業者が有害な生物化学物質に曝されないようにするために、生物化学物質を除去する局所排気ダクトに接続されており、局所排気ダクトにはヒュームフードからの局所排気の風量を調節する局所排気バルブが設けられている。また、ヒュームフードが設置された室には、この室への給気の風量を調節する給気バルブと、この室からの一般排気の風量を調節する一般排気バルブとが設けられている（例えば、特許文献１参照）。
【０００４】
図７は従来のヒュームフードシステムの要部を示す図である。同図において、１０１は室１００内に設置されたヒュームフード、１０２はヒュームフード１０１に接続された局所排気ダクト、１０３は局所排気ダクト１０２を介するヒュームフード１０１からの局所排気ＥＸの風量を調節する局所排気バルブ、１０４は局所排気バルブ１０３に付設されたコントローラ、１０５はヒュームフード１０１の前面に開閉可能に設けられたサッシ、１０６はサッシ１０５の位置を検出するサッシセンサである。
【０００５】
また、１０７（１０７Ａ，１０７Ｂ）は室１００に接続された給気ダクト、１０８（１０８Ａ，１０８Ｂ）は給気ダクト１０７（１０７Ａ，１０７Ｂ）を介する室１００への給気（ＳＡ１，ＳＡ２）の風量を調節する給気バルブ、１０９（１０９Ａ，１０９Ｂ）は給気バルブ１０８（１０８Ａ，１０８Ｂ）に付設されたコントローラ、１１０は室１００に接続された一般排気ダクト、１１１は一般排気ダクト１１０を介する室１００からの一般排気ＧＥＸの風量を調節する一般排気バルブ、１１２は一般排気バルブ１１１に付設されたコントローラ、１１３は局所排気バルブ１０３，給気バルブ１０８（１０８Ａ，１０８Ｂ）および一般排気バルブ１１１の風量を制御する風量制御装置である。
【０００６】
このヒュームフードシステムにおいて、風量制御装置１１３は、サッシセンサ１０６が検出するサッシ１０５の位置に応じ、サッシ１０５の開口面の風速（面風速）を所定の速度（一定風速）に維持するようなヒュームフード１０１からの局所排気の風量ＱEXを演算し、この演算した局所排気の風量ＱEXに応じ、室１００への給気の風量と室１００からの一般排気の風量およびヒュームフード１０１からの局所排気の風量とが一定の風量差（オフセット風量）でバランスするように、給気バルブ１０８Ａ，１０８Ｂからの給気の風量ＱIN1，ＱIN2および一般排気バルブ１１１からの一般排気の風量ＱGEXを演算し、この演算した局所排気の風量ＱEX、給気の風量ＱIN1，ＱIN2および一般排気の風量ＱGEXが得られるように、コントローラ１０４，１０９Ａ，１０９Ｂ，１１２を介して、局所排気バルブ１０３の風量、給気バルブ１０８Ａ，１０８Ｂの風量および一般排気バルブ１１１の風量を制御する。
【０００７】
なお、給気バルブ１０８Ａ，１０８Ｂに対する給気の風量ＱIN1，ＱIN2は、室１００への給気ＳＡ（ＳＡ１＋ＳＡ２）の風量をＱINとした場合、ＱIN1＝ＱIN×０．５、ＱIN2＝ＱIN×０．５として求められる。すなわち、ＱINを５０％の比率で按分して、ＱIN1，ＱIN2が求められる。
【先行技術文献】
【特許文献】
【０００８】
【特許文献１】特開２０１２−２３７５２７号公報
【発明の概要】
【発明が解決しようとする課題】
【０００９】
このようなヒュームフードシステムでは、給気バルブ１０８が１台でも故障した場合、局所排気バルブ１０３の開閉に対して、残りの給気バルブ１０８が追従できず、風量バランスが維持できなくなるという問題があった。
【００１０】
〔例１〕
例えば、給気バルブ１０８Ａと１０８Ｂがそれぞれ２５％風量、局所排気バルブ１０３が２５％風量、一般排気バルブ１１１が２５％風量でバランスしていたとし（図８（ａ）参照）、給気バルブ１０８Ａが故障して全閉状態となってしまった場合、給気バルブ１０８Ａが０％風量、給気バルブ１０８Ｂが２５％風量、局所排気バルブ１０３が２５％風量、一般排気バルブ１１１が２５％風量となり（図８（ｂ）参照）、給気と排気との風量バランスが維持できなくなる。
【００１１】
〔例２〕
例えば、給気バルブ１０８Ａと１０８Ｂがそれぞれ２５％風量、局所排気バルブ１０３が２５％風量、一般排気バルブ１１１が２５％風量でバランスしていたとし（図９（ａ）参照）、給気バルブ１０８Ａが故障してその位置で動かなくなってしまったとする。そして、この状態で、サッシ１０５が閉められ、局所排気バルブ１０３が０％風量とされたする。この場合、給気バルブ１０８Ａの風量は２５％風量のまま変わらないので（図９（ｂ）参照）、すなわち給気バルブ１０８Ｂの風量は１２．５％風量とされるが、給気バルブ１０８Ａの風量は２５％風量のままであるので、給気と排気との風量バランスが維持できなくなる。
【００１２】
また、このようなヒュームフードシステムでは、次のような問題もあった。室１００に、多数のヒュームフード１０１が設置されている場合、個々のヒュームフード１０１のサッシ１０５の開閉に対して風量バランスを行う給気バルブ１０８（１０８Ａ，１０８Ｂ）は、その動作回数が多くなる。給気バルブ１０８（１０８Ａ，１０８Ｂ）の動作回数が多くなると、この給気バルブ１０８（１０８Ａ，１０８Ｂ）を開閉するために使用するアクチュエータや給気バルブ１０８（１０８Ａ，１０８Ｂ）の開度位置を検出するために使用するポテンショメータ（可変抵抗）などの構成部品の動作寿命が短くなってしまう（給気バルブ１０８Ａ，１０８Ａでは設定風量を按分するため開閉回数は同じである）。
【００１３】
本発明は、このような課題を解決するためになされたもので、その目的とするところは、給気バルブが故障しても風量バランスを維持することが可能な風量制御装置を提供することにある。
また、給気バルブが故障しても風量バランスを維持することが可能で、かつ給気バルブの動作寿命を長くすることが可能な風量制御装置を提供することにある。
【課題を解決するための手段】
【００１４】
このような目的を達成するために本発明は、ヒュームフードが設置された室への給気の風量を調節する給気バルブと、室からの一般排気の風量を調節する一般排気バルブと、ヒュームフードからの局所排気の風量を調節する局所排気バルブとを備えたヒュームフードシステムに用いられる風量制御装置において、ヒュームフードの前面に開閉可能に設けられたサッシの位置を検出するサッシ位置検出手段と、このサッシ位置検出手段によって検出されたサッシの位置に応じ、サッシの開口面の風速を所定の速度に維持するようなヒュームフードからの局所排気の風量を演算する局所排気風量演算手段と、この局所排気風量演算手段によって演算されたヒュームフードからの局所排気の風量に応じ、室への給気の風量と室からの一般排気の風量およびヒュームフードからの局所排気の風量とが一定の風量差でバランスするように、給気バルブからの給気の風量および一般排気バルブからの一般排気の風量を演算するバランス風量演算手段と、局所排気風量演算手段によって演算された局所排気の風量、バランス風量演算手段によって演算された給気の風量および一般排気の風量が得られるように、局所排気バルブの風量、給気バルブの風量および一般排気バルブの風量を制御する風量制御手段と、給気バルブに故障が生じたか否かを判定し、故障が生じたと判定した場合、予め定められたバルブを代替バルブとし、風量制御手段による風量制御を継続させる風量制御継続手段とを備えることを特徴とする。
【００１５】
本発明において、風量制御継続手段は、給気バルブに故障が生じた場合、代替バルブを使用して風量制御手段による風量制御（以下、風量バランス制御と呼ぶ）を継続させる。例えば、一般排気バルブを代替バルブとしたり、故障が生じていない給気バルブを代替バルブとしたりして、風量バランス制御を継続させる。
【００１６】
本発明において、複数の給気バルブと、複数の局所排気バルブとを備えた構成とする場合、風量制御手段に、複数の局所排気バルブをグループ分けした各グループと複数の給気バルブの各々との対応関係を示すテーブルに従い、ヒュームフードからの局所排気の風量制御を実行する局所排気バルブに応じて、その局所排気バルブが属するグループに対応する給気バルブの風量制御を行う機能を付加したり、ヒュームフードが設置されている室への給気の風量制御を担当する給気バルブを選択的に切り替える機能を付加するようにしてもよい。このようにすると、給気バルブの動作回数が少なくなり、給気バルブの動作寿命が長くなる。
【発明の効果】
【００１７】
本発明によれば、給気バルブに故障が生じたか否かを判定し、故障が生じたと判定した場合、予め定められたバルブを代替バルブとし、風量バランス制御を継続させるようにしたので、一般排気バルブを代替バルブとしたり、故障が生じていない給気バルブを代替バルブとしたりするなどして、給気バルブが故障しても風量バランスを維持することが可能となる。
【００１８】
また、本発明によれば、風量制御手段に、複数の局所排気バルブをグループ分けした各グループと複数の給気バルブの各々との対応関係を示すテーブルに従い、ヒュームフードからの局所排気の風量制御を実行する局所排気バルブに応じて、その局所排気バルブが属するグループに対応する給気バルブの風量制御を行う機能を付加したり、ヒュームフードに設置されている室への給気の風量制御を担当する給気バルブを選択的に切り替える機能を付加したりすることにより、給気バルブの動作回数を少なくし、給気バルブの動作寿命を長くすることが可能となる。
【図面の簡単な説明】
【００１９】
【図１】本発明に係る風量制御装置の一実施の形態（実施の形態１）を用いたヒュームフードシステムの要部を示す図である。
【図２】このヒュームフードシステムにおいて故障が生じていない給気バルブを代替バルブとする場合の風量制御装置の動作を説明する図である。
【図３】このヒュームフードシステムにおいて一般排気バルブを代替バルブとする場合の風量制御装置の動作を説明する図である。
【図４】給気バルブが１台しかないヒュームフードシステムへの適用例を示す図である。
【図５】このヒュームフードシステムにおいて一般排気バルブを代替バルブとして行われる風量制御装置の動作を説明する図である。
【図６】本発明に係る風量制御装置の他の実施の形態（実施の形態２）を用いたヒュームフードシステムの要部を示す図である。
【図７】従来のヒュームフードシステムの要部を示す図である。
【図８】このヒュームフードシステムにおいて給気バルブが故障した場合の風量制御装置の動作（例１）を説明する図である。
【図９】このヒュームフードシステムにおいて給気バルブが故障した場合の風量制御装置の動作（例２）を説明する図である。
【発明を実施するための形態】
【００２０】
以下、本発明を図面に基づいて詳細に説明する。
〔実施の形態１〕
図１は本発明に係る風量制御装置の一実施の形態（実施の形態１）を用いたヒュームフードシステムの要部を示す図である。同図において、図７と同一符号は図７を参照して説明した構成要素と同一或いは同等の構成要素を示し、その説明は省略する。
【００２１】
このヒュームフードシステムにおいて、風量制御装置１１３は、局所排気演算部１１３−１と、バランス風量演算部１１３−２と、風量制御部１１１−３と、風量制御継続部１１３−４とを備えている。
【００２２】
この風量制御手段１１３は、プロセッサや記憶装置からなるハードウェアと、これらのハードウェアと協働して各種機能を実現させるプログラムとによって実現される。具体的には、コンピュータにプログラムがインストールされ、このインストールされたプログラムに従うＣＰＵの処理動作として実現される。
【００２３】
なお、このヒュームフードシステムにおける風量制御装置１１３と図７に示した従来のヒュームフードシステムにおける風量制御装置１１３とを区別するために、このヒュームフードシステムにおける風量制御装置１１３を符号１１３Ａで示し、従来のヒュームフードシステムにおける風量制御装置１１３を符号１１３Ｂで示す。
【００２４】
本実施の形態の風量制御装置１１３Ａにおいて、局所排気演算部１１３−１は、サッシセンサ１０６が検出するサッシ１０５の位置に応じ、サッシ１０５の開口面の風速（面風速）を所定の速度（一定風速）に維持するようなヒュームフード１０１からの局所排気の風量ＱEXを演算する。
【００２５】
バランス風量演算部１１３−２は、局所排気演算部１１３−１によって演算された局所排気の風量ＱEXに応じ、室１００への給気の風量と室１００からの一般排気の風量およびヒュームフード１０１からの局所排気の風量とが一定の風量差（オフセット風量）でバランスするように、給気バルブ１０８Ａ，１０８Ｂからの給気の風量ＱIN1，ＱIN2および一般排気バルブ１１１からの一般排気の風量ＱGEXを演算する。
【００２６】
風量制御部１１１−３は、局所排気演算部１１３−１によって演算された局所排気の風量ＱEX、バランス風量演算部１１３−２によって演算された給気の風量ＱIN1，ＱIN2および一般排気の風量ＱGEXが得られるように、コントローラ１０４，１０９Ａ，１０９Ｂ，１１２を介して、局所排気バルブ１０３の風量、給気バルブ１０８Ａ，１０８Ｂの風量および一般排気バルブ１１１の風量を制御する。
【００２７】
なお、風量制御部１１１−３は、室１００への給気ＳＡ（ＳＡ１＋ＳＡ２）の風量をＱINとした場合、給気バルブ１０８Ａ，１０８Ｂに対する給気の風量ＱIN1，ＱIN2をＱIN1＝ＱIN×０．５、ＱIN2＝ＱIN×０．５として求める。すなわち、ＱINを５０％の比率で按分して、ＱIN1，ＱIN2を求める。
【００２８】
風量制御継続部１１３−４は、給気バルブ１０８（１０８Ａ，１０８Ｂ）の動作状態を監視し、給気バルブ１０８（１０８Ａ，１０８Ｂ）に故障が生じたか否かを判定する。また、風量制御継続部１１３−４は、給気バルブ１０８（１０８Ａ，１０８Ｂ）に故障が生じたと判定した場合、予め定められたバルブを代替バルブとし、風量制御部１１３−３による風量制御（風量バランス制御）を継続させる。
【００２９】
〔故障が生じていない給気バルブを代替バルブとする例〕
風量制御継続部１１３−４での動作例として、故障が生じていない給気バルブ１０８を代替バルブとして、風量バランス制御を継続させる例について説明する。
【００３０】
例えば、今、給気バルブ１０８Ａと１０８Ｂがそれぞれ２５％風量、局所排気バルブ１０３が２５％風量、一般排気バルブ１１１が２５％風量でバランスしていたとする（図２（ａ）参照）。ここで、給気バルブ１０８Ａが故障して全閉状態となってしまったとする（図２（ｂ）参照）。
【００３１】
この場合、風量制御継続部１１３−４は、給気バルブ１０８Ａに故障が生じたと判定し、故障が生じていない給気バルブ１０８Ｂを代替バルブとして、風量バランス制御を継続させる。すなわち、給気バルブ１０８Ｂを５０％風量とし（図２（ｃ）参照）、風量バランスを維持させる。
【００３２】
〔一般排気バルブを代替バルブとする例〕
風量制御継続部１１３−４での動作例として、一般排気バルブ１１１を代替バルブとして、風量バランス制御を継続させる例について説明する。
【００３３】
例えば、今、給気バルブ１０８Ａと１０８Ｂがそれぞれ２５％風量、局所排気バルブ１０３が２５％風量、一般排気バルブ１１１が２５％風量でバランスしていたとする（図３（ａ）参照）。ここで、給気バルブ１０８Ａが故障してその位置で動かなくなってしまい、この状態でサッシ１０５が閉められ、局所排気バルブ１０３が０％風量とされたとする（図３（ｂ）参照）。
【００３４】
この場合、風量制御継続部１１３−４は、給気バルブ１０８Ａに故障が生じたと判定し、一般排気バルブ１１１を代替バルブとして、風量バランス制御を継続させる。すなわち、給気バルブ１０８Ｂを１２．５％風量とする一方、一般排気バルブ１１１の風量を２５％風量から３７．５％風量に増やすことで（図３（ｃ）参照）、風量バランスを維持させる。
【００３５】
〔給気バルブが１台しかない場合〕
なお、図１に示したヒュームフードシステムでは、給気バルブ１０８を１０８Ａと１０８Ｂの２台としたが、給気バルブ１０８が１台しかないヒュームフードシステム（図４参照）では、給気バルブ１０８が故障した場合、故障が生じていない給気バルブはないので、一般排気バルブ１１１を代替バルブとする。
【００３６】
このヒュームフードシステムにおいて、例えば、今、給気バルブ１０８が５０％風量、局所排気バルブ１０３が２５％風量、一般排気バルブ１１１が２５％風量でバランスしていたとする（図５（ａ）参照）。ここで、給気バルブ１０８が故障して動かなくなってしまい、この状態でサッシ１０５が閉められ、局所排気バルブ１０３が０％風量とされたとする（図５（ｂ）参照）。
【００３７】
この場合、風量制御継続部１１３−４は、給気バルブ１０８に故障が生じたと判定し、一般排気バルブ１１１を代替バルブとして、風量バランス制御を継続させる。すなわち、給気バルブ１０８の風量を２５％風量から５０％風量に増やすことで、風量バランスを維持させる（図５（ｃ）参照）。
【００３８】
なお、この実施の形態１において、代替バルブを用いての風量制御は、所定時間継続させた後停止させるようにする。すなわち、代替バルブを用いての風量制御は、あくまでも一時的なものとし、所定時間以上連続して行われないようにする。これは、同じバルブを継続して動作せることにより劣化が早まることを考慮し、できるだけ同じバルブが代替バルブとして継続して使用されないようにするためである。また、代替バルブを用いての風量制御中は、その旨を通知するようにする。すなわち、給気バルブ１０８Ａ，１０８Ｂの何れかに故障が生じており、代替バルブの使用中であることを、使用者や管理者などに音声などで通知するようにする。
【００３９】
〔実施の形態２〕
実施の形態１では、室１００に設置されているヒュームフード１０１を１つとしたが、実施の形態２では室１００に多数のヒュームフード１０１が設置されているものとする（図６参照）。この例では、室１００にヒュームフード１０１が２０台設置されているものとする。すなわち、局所排気バルブ１０３が２０台、給気バルブ１０８が２台、一般排気バルブ１１１が１台のシステム構成とされているものとする。
【００４０】
この場合、個々のヒュームフード１０１のサッシ１０５の開閉に対して風量バランスを行う給気バルブ１０８Ａ，１０８Ｂは、その動作回数が多くなる。このため、給気バルブ１０８Ａ，１０８Ｂを開閉するために使用するアクチュエータや給気バルブ１０８Ａ，１０８Ｂの開度位置を検出するために使用するポテンショメータ（可変抵抗）などの構成部品の動作寿命が短くなってしまう（給気バルブ１０８Ａ，１０８Ａでは設定風量を按分するため開閉回数は同じである）。
【００４１】
そこで、この実施の形態２では、風量制御部１１３−３に、２０台の局所排気バルブ１０３をグループ分けした各グループと２台の給気バルブ１０８の各々との対応関係を示すテーブルＴＢ１に従い、ヒュームフード１０１からの局所排気の風量制御を実行する局所排気バルブ１０３に応じて、その局所排気バルブ１０３が属するグループに対応する給気バルブ１０８の風量制御を行う機能を付加している。
【００４２】
この例では、テーブルＴＢ１において、給気バルブ１０８ＡをＭＡＶ１、給気バルブ１０８ＢをＭＡＶ２とし、ＮＯ．１〜１０までの局所排気バルブ１０３を第１グループとし、ＮＯ．１１〜２０までの局所排気バルブ１０３を第２グループとし、第１グループの局所排気バルブ１０３をＭＡＶ１（給気バルブ１０８Ａ）に対応づけ、第２グループの局所排気バルブ１０３をＭＡＶ２（給気バルブ１０８Ｂ）に対応づけている。
【００４３】
風量制御部１１３−３は、このテーブルＴＢ１に対応付けられた関係に従って、ＮＯ．１〜１０の局所排気バルブ１０３が開閉（局所排気の風量制御を実行）したときには給気バルブ１０８Ａの風量制御を行い、ＮＯ．１１〜２０の局所排気バルブ１０３が開閉（局所排気の風量制御を実行）したときには給気バルブ１０８Ｂの風量制御を行う。これにより、給気バルブ１０８Ａ，１０８Ｂの動作回数が少なくなり、給気バルブ１０８Ａ，１０８Ｂの動作寿命が長くなる。
【００４４】
なお、風量制御部１１３−３に、上述した機能に代えて、ヒュームフード１０１が設置されている室１００への給気の風量制御を担当する給気バルブ１０８を選択的に切り替える機能を付加するようにしてもよい。この機能により、例えば、局所排気バルブ１０３の開閉（局所排気の風量制御の実行）に対して、給気バルブ１０８Ａと１０８Ｂとを交互に開閉させたり、給気バルブ１０８Ａと１０８Ｂとを順に開閉させたりする。これにより、給気バルブ１０８Ａ，１０８Ｂの動作回数が少なくなり、給気バルブ１０８Ａ，１０８Ｂの動作寿命が長くなる。
【００４５】
なお、上述した実施の形態１，２では、給気バルブ１０８を１０８Ａと１０８Ｂの２台とした例で説明したが、さらにその数を増やしてもよいことは言うまでもない。また、風量制御装置１１３Ａの機能をコントローラ１０４，１０９（１０９Ａ，１０９Ｂ）、１１２に分担させるようにしてもよく、風量制御装置１１３Ａの全ての機能をコントローラ１０４，１０９（１０９Ａ，１０９Ｂ）、１１２に移管するようにしてもよい。
【００４６】
〔実施の形態の拡張〕
以上、実施の形態を参照して本発明を説明したが、本発明は上記の実施の形態に限定されるものではない。本発明の構成や詳細には、本発明の技術思想の範囲内で当業者が理解し得る様々な変更をすることができる。
【符号の説明】
【００４７】
１００…室、１０１…ヒュームフード、１０２Ａ，１０２Ｂ…局所排気ダクト、１０３…局所排気バルブ、１０４…コントローラ、１０５…サッシ、１０６…サッシセンサ、１０７（１０７Ａ，１０７Ｂ）…給気ダクト、１０８（１０８Ａ，１０８Ｂ）…給気バルブ、１０９（１０９Ａ，１０９Ｂ）…コントローラ、１１０…一般排気ダクト、１１１…一般排気バルブ、１１２…コントローラ、１１３（１１３Ａ）…風量制御装置、１１３−１…局所排気演算部、１１３−２…バランス風量演算部、１１３−３…風量制御部、１１３−４…風量制御継続部。
【図１】
2015052415.tif 000003
【図２】
2015052415.tif 000004
【図３】
2015052415.tif 000005
【図４】
2015052415.tif 000006
【図５】
2015052415.tif 000007
【図６】
2015052415.tif 000008
【図７】
2015052415.tif 000009
【図８】
2015052415.tif 000010
【図９】
2015052415.tif 000011